(57)【特許請求の範囲】
【請求項１】
外部装置から入力される印刷データを１ページごとに記憶するページデータ記憶手段と、
記録素子列を備えた記録ヘッドが用紙面を１回走査して印刷する処理の間に必要とされるサイズのデータを記憶するバンドデータ記憶手段と、
前記用紙に対して複数ページ分のデータを連続して印刷させる指示が前記外部装置から供給されているか否かを判断する判断手段とを備え、
前記ページデータ記憶手段に記憶されたデータを順にバンドデータ記憶手段に読み込んで、前記記録ヘッドを走査することにより用紙面上に印刷を行うように構成された長尺印刷装置に於いて、
前記判断手段が前記外部装置から前記指示が供給されていると判断した場合であって、且つ前記ページデータ記憶手段に於ける一のページデータから前記バンドデータ記憶手段に読み込まれたデータのサイズが、前記バンドデータ記憶手段の容量に満たない場合、前記バンドデータ記憶手段に記憶されたデータのサイズが前記容量に達するまで、前記ページデータ記憶手段に記憶される次のページデータから前記バンドデータ記憶手段に追加してデータ読み込みを行ってから、前記記録ヘッドによる印刷を行うように構成された印刷制御手段を備えたことを特徴とする長尺印刷装置。
【請求項２】
前記印刷制御手段は、前記判断手段により前記指示が外部装置から供給されていないと判断された場合であって、且つ前記ページデータ記憶手段に於ける一のページデータから前記バンドデータ記憶手段に読み込まれたデータのサイズが、前記バンドデータ記憶手段の容量に満たない場合に、前記バンドデータ記憶手段に記憶されたデータのサイズが前記容量に達するまで、前記バンドデータ記憶手段に空白のデータを追加するように構成されることを特徴とする請求項１に記載の長尺印刷装置。
【発明の詳細な説明】
【０００１】
【発明の属する技術分野】
本発明は、インクを噴射する複数のインクノズルを有した記録ヘッドを往復走査しながら用紙を搬送することにより、用紙上に長尺の連続データを印刷可能な長尺印刷装置に関するものである。
【０００２】
【従来の技術】
従来より、垂れ幕や横断幕等を作成するために、大きなサイズの紙や布に対して高速で且つ高品質に印刷できる印刷装置が望まれている。この種の印刷装置としては、インクジェット方式の記録ヘッドを走査しながら、ロール紙を搬送することにより印刷を行うものが一般的である。このような構成を有する印刷装置によれば、ロール紙が続く限り、継ぎ目なく長尺サイズの印刷が可能である。
【０００３】
しかし、印刷サイズがかなり大きくなると、印刷データはそれに応じて大きなサイズになるため、印刷データを処理する装置が高価なものになった。
【０００４】
そこで、この問題を解決するために、印刷データを分割して１回の処理データのサイズを小さくして、短いサイズの印刷を用紙の搬送方向に連続して行うものが提案されている。例えば、特公平４−７９２０号公報に記載の、熱転写方式を用いた印刷方法や、特公平７−９８４０７号公報に記載の、電子写真方式を用いたプリンタの紙送り方法が開示されている。この種の印刷装置は、分割された複数の印刷データを印刷装置に対して順に入力し、短いサイズの印刷を複数個連続させて印刷することにより、長いサイズの印刷を実現している。
【０００５】
例えば、複数のインクノズルを一列に形成した記録ヘッドを搭載したインクジェット方式の印刷装置によれば、図５に示すように、前記記録ヘッドをページ幅ドット数（用紙幅方向の有効印字長さを、前記記録ヘッドによるドット径で割った値）分だけ左右に走査させた後、ヘッドライン数（前記記録ヘッドの有するノズル数）分ずつ用紙を上方向に搬送することにより印刷を行っている。したがって、１ページあたリ、（ページライン数／ヘッドライン数）で計算される回数にわたって記録ヘッドの走査を行う。このような構成の印刷装置に印刷データが入力されると、用紙を間欠的に搬送しながら、記録ヘッドを走査して１ページ分の印刷データを全て印刷し、１ページ分の印刷が終了したら記録ヘッドを止め、次のページの印刷データの入力を待機し、次のページの印刷データが入力されたら再び印刷を行う一連の処理を繰り返して行っていた。
【０００６】
【発明が解決しようとする課題】
しかしながら、上述した構成を有する従来の印刷装置によれば、１ページ分の印刷データに於ける前記ページライン数が前記ヘッドライン数の整数倍になっている場合は、図７（ａ）に示すように、複数ページのデータを連結して印字できたが、前記ページライン数が前記ヘッドライン数の整数倍にならない場合は、図７（ｂ）に示すように、隣り合うページデータの印刷の間に隙間が発生する問題があった。
【０００７】
したがって、図７（ｃ）に示すように、１ページ分の印字データのサイズに拘わらず、複数ページの印刷を連結させるためには、１ページ分の印刷が終了したら記録ヘッドを止めて待機し、次のページの印刷データが入力されたら、実際にドット形成が最後に行われた位置まで用紙を逆方向に搬送し、繋ぎ目を合わせてから再び印刷を開始する方法を用いなければならなかったが、用紙を逆方向に搬送するための時間を要することや、繋ぎ目を合わせる機構に高い精度を要求されることから、印刷装置が高価になる問題があった。特に、多色印刷時に、用紙の逆搬送による繋ぎ目部分の色ズレが発生した。
【０００８】
また、ページ記述言語等で記述された図形やイメージが分断されないように印刷データを分割することが、印刷時のデータ処理の負担にならず、高速処理のために望ましい。したがって、上述したような印刷の隙間発生が起こらないようにするために、印刷データの前記ページライン数が前記ヘッドライン数の整数倍になるように印刷データを分割すると、上述した隙間は発生しないが、印刷データ中の図形やイメージが分断されるために処理速度が低下した。逆に、印刷データ中の図形やイメージが分断されないように印刷データを分割すると、１ページ分の印刷途中の至る所で隙間が生じる問題が発生した。
【０００９】
本発明は、上述した問題点を解決するためになされたものであり、簡易な構成により、複数ページの印刷データを隙間なく連結して連続印刷することができ、高品質な長尺印刷物を短時間で得ることができる長尺印刷装置を提供することを目的としている。
【００１０】
【課題を解決するための手段】
この目的を達成するために、本発明の請求項１に記載の長尺印刷装置は、外部装置から入力される印刷データを１ページごとに記憶するページデータ記憶手段と、記録素子列を備えた記録ヘッドが用紙面を１回走査して印刷する処理の間に必要とされるサイズのデータを記憶するバンドデータ記憶手段と、前記用紙に対して複数ページ分のデータを連続して印刷させる指示が前記外部装置から供給されているか否かを判断する判断手段とを備え、前記ページデータ記憶手段に記憶されたデータを順にバンドデータ記憶手段に読み込んで、前記記録ヘッドを走査することにより用紙面上に印刷を行うように構成されたものであって、前記判断手段が前記外部装置から前記指示が供給されていると判断した場合であって、且つ前記ページデータ記憶手段に於ける一のページデータから前記バンドデータ記憶手段に読み込まれたデータのサイズが、前記バンドデータ記憶手段の容量に満たない場合、前記バンドデータ記憶手段に記憶されたデータのサイズが前記容量に達するまで、前記ページデータ記憶手段に記憶される次のページデータから前記バンドデータ記憶手段に追加してデータ読み込みを行ってから、前記記録ヘッドによる印刷を行うように構成された印刷制御手段を備えたことを特徴としている。
【００１１】
【００１２】
【００１３】
すなわち、判断手段は、前記用紙に対して複数ページ分のデータを連続して印刷させる指示が外部装置から供給されているか否かを判断し、ページデータ記憶手段は、外部装置から入力される印刷データを１ページごとに記憶し、バンドデータ記憶手段は、１回の走査で記録ヘッドが処理できるサイズのデータを前記ページデータ記憶手段より読み込み、印刷制御手段は、前記指示が外部装置から供給されていると前記判断手段が判断した場合であって、且つ前記ページデータ記憶手段に於ける一のページデータから前記バンドデータ記憶手段に読み込まれたデータのサイズが、前記バンドデータ記憶手段の容量に満たない場合、前記バンドデータ記憶手段に記憶されたデータのサイズが前記容量に達するまで、前記ページデータ記憶手段に記憶される次のページデータから前記バンドデータ記憶手段に追加してデータ読み込みを行ってから、前記記録ヘッドを制御して印刷を行う。
【００１４】
さらに、請求項２に記載の長尺印刷装置は、前記判断手段により前記指示が外部装置から供給されていないと判断した場合であって、且つ前記ページデータ記憶手段に於ける一のページデータから前記バンドデータ記憶手段に読み込まれたデータのサイズが、前記バンドデータ記憶手段の容量に満たない場合に、前記バンドデータ記憶手段に記憶されたデータのサイズが前記容量に達するまで、前記バンドデータ記憶手段に空白のデータを追加するように前記印刷制御手段を構成したことを特徴としている。
【００１５】
すなわち、印刷制御手段は、前記ページデータ記憶手段に於ける一のページデータから前記バンドデータ記憶手段に読み込まれたデータのサイズが、前記バンドデータ記憶手段の容量に満たないとき、前記指示が外部装置から供給されていると前記判断手段が判断した場合は、前記バンドデータ記憶手段に記憶されたデータのサイズが前記容量に達するまで、前記ページデータ記憶手段に記憶される次のページデータから前記バンドデータ記憶手段に追加してデータ読み込みを行い、前記指示が外部装置から供給されていないと判断した場合は、前記バンドデータ記憶手段に記憶されたデータのサイズが前記容量に達するまで、前記ページデータ記憶手段に空白のデータを追加した後に、前記記録ヘッドを制御して印刷を行う。
【００１６】
【発明の実施の形態】
以下、本発明を具現化した一つの実施の形態について、図面を参照しながら説明する。
【００１７】
図１は、本実施の形態の長尺印刷装置の回路構成の概略を示すブロック図である。
【００１８】
この長尺印刷装置は、印刷データの送信元である外部装置と通信回線を介して接続されるホストインターフェース１１０と、装置全体の制御を司るＣＰＵ１２０と、実際に用紙に印刷を行う機構である、ヘッドノズル、ヘッド駆動モーター、用紙搬送モーター等を備えた印字駆動機構１５０と、受信した印刷データを処理するためのプログラムや、前記印字駆動機構１５０等を制御するプログラムを格納したＲＯＭ１３０と、そのＲＯＭ１３０により処理された印刷データを一時記憶し、またワークメモリとして利用されるＲＡＭ１４０とから構成される。
【００１９】
ＲＯＭ１３０には、ホストインターフェース１１０による印刷データ受信を制御するデータ受信制御手段１３１と、受信したデータを解析して印刷イメージを作成するデータ解析手段１３２と、印字駆動機構１５０の駆動を制御して印刷を行う印刷ラインデータ印刷制御手段１３３とが、上述したように、前記ＣＰＵ１２０上で実行可能なプログラムの形態で格納されている。
【００２０】
ＲＡＭ１４０には、前記データ受信制御手段１３１により受信した印刷データを記憶する受信データバッファ１４１と、前記データ解析手段１３２により生成された印刷イメージを１ページ単位で記憶する、ページデータ記憶手段としてのページメモリ１４２と、前記印字駆動機構１５０による用紙上の１回の走査で印刷処理可能なサイズ、すなわち、ヘッドのノズル数と前記ページ幅ドット数との積に相当するサイズの印刷データを記憶するための、バンドデータ記憶手段としての印刷ラインデータメモリ１４３とを備えている。
【００２１】
図４に、前記構成の長尺印刷装置に対して外部装置が送信する印刷データの概念図を示す。
【００２２】
印刷データ及び排紙コマンド７０２乃至７０９は、長尺印刷装置に対して、４ページ分の印刷を、別々の用紙４枚に印刷することを指示している。そして、前記印刷データ及び排紙コマンド７０２乃至７０９に先立って、排紙無効コマンド７０１を送信することにより、前記長尺印刷装置を、図７（ｃ）に示す印刷を行うための連続印刷モードに設定し、連続印刷すべき印刷データ７０２乃至７０９の送信が完了した後、排紙有効コマンド７１０と排紙コマンド７１１とが送信される。
【００２３】
尚、これらのデータ若しくはコマンド７０１乃至７１１は、１つずつの送信間隔が十分長い場合は、長尺印刷装置のＣＰＵ１２０により個別に処理可能であるが、一度に複数個が送信された場合は、まず受信データバッファ１４１に蓄えておき、受信時の古い順から適宜ＣＰＵ１２０に読み込んで処理することも可能である。
【００２４】
また、前記排紙無効コマンド７０１、排紙有効コマンド７１０、及び排紙コマンド７１１を含まない、印刷データ及び排紙コマンド７０２乃至７０９のみを前記長尺印刷装置に送信すれば、図７（ｄ）に示すように、各ページの印刷終了ごとに用紙送りを行い、各ページ別に分離した印刷を得ることも可能となる。
【００２５】
以下、本実施の形態の長尺印刷装置を用いて、図４に示すような印刷データを処理する手順について、図２のフローチャートを用いて説明する。
【００２６】
まず、ステップ８０１（以下、ステップをＳと略記する）に於いて、初期設定として、連続印刷モードをオフにする。
【００２７】
そして、ホストインターフェース１１０により、排紙無効コマンド７０１を受信する（Ｓ８０２）。
【００２８】
次に、受信したデータが排紙無効コマンドであるか否かを判定する（Ｓ８０３）。この場合、受信したデータは排紙無効コマンドであるので（Ｓ８０３：ＹＥＳ）、Ｓ８０４で連続印刷モードをオンにして、Ｓ８０２に戻る。したがって、このＳ８０３の処理が本発明の判断手段による処理を構成し、この判断手段は、前記データ解析手段１３２に備えられているものである。
【００２９】
次に、Ｓ８０２で印刷データ７０２を受信し、同様にＳ８０３による判定を行う。今回受信したデータは１頁目の印刷データ７０２であり、排紙無効コマンドではないので（Ｓ８０３：ＮＯ）、続いてＳ８０５の処理が行われる。
【００３０】
Ｓ８０５では、そのデータが排紙有効コマンドであるか否かが判定される。今回受信したデータは１頁目の印刷データ７０２であり、排紙有効コマンドではないので（Ｓ８０５：ＮＯ）、続いてＳ８０７の処理が行われる。
【００３１】
Ｓ８０７では、そのデータが排紙コマンドであるか否かが判定される。今回受信したデータは１頁目の印刷データ７０２であり、排紙コマンドではないので（Ｓ８０７：ＮＯ）、続いてＳ８０８に於いて、１頁目の印刷データ７０２をページメモリ１４２に記憶させ、Ｓ８０２に戻る。
【００３２】
次に、Ｓ８０２では、排紙コマンド７０３が読み込まれ、上記と同様の処理により（Ｓ８０３：ＮＯ、Ｓ８０５：ＮＯ）、Ｓ８０７に処理が進み、このＳ８０７に於いて、今回受信したデータは排紙コマンドであることが判断され（Ｓ８０７：ＹＥＳ）、処理がＳ８０９に進む。Ｓ８０９では、前記印刷ラインデータ印刷制御手段１３３により、印字駆動機構１５０を制御を行い、ページメモリ１４２に記憶された印刷データに基づいて用紙上に印字を行う。
【００３３】
そして、Ｓ８１０に於いて、連続印刷モードがオンされているか否かが判定される。本動作例では、上述したように連続印刷モードがオンされているので（Ｓ８１０：ＹＥＳ）、用紙送りをしないでＳ８０２に戻る。
【００３４】
以下、２頁目の印刷データ７０４乃至排紙コマンド７０９まで、上記と同様の処理を繰り返す。
【００３５】
そして、Ｓ８０２に於いて、排紙有効コマンド７１０を受信すると、Ｓ８０３がＮＯ、Ｓ８０５がＹＥＳとなり、Ｓ８０６で連続印刷モードがオフされる。
【００３６】
最後に、Ｓ８０２に於いて、排紙コマンド７１１が受信されると、Ｓ８０３がＮＯ、Ｓ８０５がＮＯ、Ｓ８０７がＹＥＳ、Ｓ８１０がＮＯとなり、Ｓ８１１で排紙のための用紙送りが行われる。
【００３７】
ここで、前記Ｓ８０９の印刷制御の１例を、図３のフローチャートを用いて説明する。尚、このＳ８０９に於ける図３の印刷制御処理を行う印刷ラインデータ印刷制御手段１３３が、本発明の印刷制御手段を構成する。
【００３８】
まず、Ｓ３０１に於いて、印刷ヘッドのライン数を変数ＨＬＩＮＥに記憶し、ページメモリ１４２に記憶された、印刷すべきページデータのページライン数を変数ＰＬＩＮＥに記憶し、印刷ラインデータメモリ１４３（以下、ＨＢＵＦＦと称する。図３中も同じ）に記憶されているデータのライン数を、変数ＭＬＩＮＥに記憶する。
【００３９】
尚、前記の各変数は、ＲＡＭ１４０の印刷ラインデータ格納ライン数メモリ１４４に割り当てられており、ＣＰＵ１２０による以下の処理によって、それらの値は適宜上書き更新される。
【００４０】
また、ＨＬＩＮＥで表されるＨＢＵＦＦ容量は、印刷ヘッドによる一度の走査により印刷処理可能なバンドデータの容量を示すものである。
【００４１】
次に、Ｓ３０２に於いて、ページメモリ１４２に記憶された、未印刷のデータのライン数を表わす変数ＰＣＯＵＮＴに、前記ＰＬＩＮＥを代入する。
【００４２】
そして、Ｓ３０３に於いて、（ＨＬＩＮＥ−ＭＬＩＮＥ）で計算された値を、ページメモリ１４２から読み込むデータのライン数を表わす変数ＲＣＯＵＮＴに代入し、Ｓ３０４に於いて、ＲＣＯＵＮＴがＰＣＯＵＮＴよりも大きいか否かを判定する。
【００４３】
Ｓ３０４に於いて、ＲＣＯＵＮＴがＰＣＯＵＮＴよりも大きいと判定された場合は（Ｓ３０４：ＹＥＳ）、ページメモリ１４２から読み込むことができるデータの残存ライン数が、印刷ヘッドのライン数よりも小さい場合に相当する。この場合、Ｓ３０５で、ページメモリ１４２に残存するデータのライン数ＰＣＯＵＮＴを、ページメモリ１４２から読み込むデータのライン数ＲＣＯＵＮＴに代入する。すなわち、後述するＳ３０８により、ページメモリ１４２に残存するデータをすべてＨＢＵＦＦに読み込むように設定する。また、印刷ラインデータメモリ１４３に記憶済みのライン数ＭＬＩＮＥに、ＨＬＩＮＥ−ＰＣＯＵＮＴを代入する。そして、この場合は、ＨＢＵＦＦに空容量が存在するため、ＨＢＵＦＦの記憶内容であるバンドデータは保持されたままであり、印刷処理されない。
【００４４】
逆に、Ｓ３０４に於いて、ＲＣＯＵＮＴがＰＣＯＵＮＴよりも小さいと判定された場合は（Ｓ３０４：ＮＯ）、ページメモリ１４２から読み込むことができるデータの残存ライン数が、印刷ヘッドのライン数よりも大きい場合に対応する。この場合は、Ｓ３０６に於いてＭＬＩＮＥ＝０とされ、後述するＳ３１１に於いて、ＨＢＵＦＦのバンドデータ内容がすべて印刷処理される。
【００４５】
すなわち、変数ＭＬＩＮＥは、印刷されずにＨＢＵＦＦに蓄積された未処理バンドデータのライン数を示すものである。したがって、（ＨＬＩＮＥ−ＭＬＩＮＥ）で計算される値は、ＨＢＵＦＦの空容量をライン数で示すものである。Ｓ３０４に於いてＲＣＯＵＮＴ＞ＰＣＯＵＮＴでないと判断された場合（Ｓ３０４：ＮＯ）は、後述するＳ３０８により、ＨＢＵＦＦの容量が満たされるまでラインデータをＨＢＵＦＦに読み込むことが可能であり、読み込み後のＨＢＵＦＦ内のバンドデータは全て印刷処理されるため、ＨＢＵＦＦ内の未処理ライン数は当然０になる（Ｓ３０６）。
【００４６】
続いて、後述するＳ３０８により、ページメモリ１４２から（ＲＣＯＵＮＴ＝ＨＬＩＮＥ−ＭＬＩＮＥ）行分のデータをＨＢＵＦＦに読み込んだ後に、ページメモリ１４２に残存すべきデータのライン数ＰＣＯＵＮＴを、ＰＣＯＵＮＴ＝ＰＣＯＵＮＴ−ＲＣＯＵＮＴで計算する（Ｓ３０７）。
【００４７】
次に、Ｓ３０８に於いて、印刷ヘッドで印刷するためのデータを、ページメモリ１４２より１ラインデータずつＨＢＵＦＦに読み込み、１ライン読み込むごとにＲＣＯＵＮＴの値を１下げる。この読み込み動作は、Ｓ３０９に於いてＲＣＯＵＮＴがゼロになるまでループ状に繰り返される。
【００４８】
そして、Ｓ３１０に於いて、変数ＭＬＩＮＥがゼロより大きいか否かを判定する。
【００４９】
ＭＬＩＮＥがゼロより大きくない、すなわち、ゼロであると判定された場合は（Ｓ３１０：ＮＯ）、Ｓ３１１に於いて、ＨＢＵＦＦに記憶されたデータを印刷ヘッドで印刷し、印刷終了後のＨＢＵＦＦのバンドデータはゼロクリア（白紙）にされてＳ３０３に戻り、上述と同様に、ページメモリ１４２に残存するデータの処理を繰り返し行う。
【００５０】
ＭＬＩＮＥがゼロより大きいと判定された場合（Ｓ３１０：ＹＥＳ）、ＨＢＵＦＦにバンドデータを残したまま処理を終了し、次に印刷処理すべきページデータがページメモリ１４２に蓄積されるまで、若しくはページメモリ１４２に記憶される複数のページデータのうちの、次に印刷処理すべきページデータが選択されるまで待機する。そして、次に処理すべきページメモリ１４２のページデータから、ＨＢＵＦＦの空容量を示すライン数である（ＨＬＩＮＥ−ＭＬＩＮＥ）を、ページメモリ１４２から読み込むべきライン数であるＲＣＯＵＮＴに再び代入し（Ｓ３０３）、ＨＢＵＦＦの容量が満たされれば（Ｓ３０４：ＮＯ→Ｓ３０５）、ＨＢＵＦＦのバンドデータはすべて印刷処理される（Ｓ３１１）。
【００５１】
図６は、図４の印刷データを、図３の印刷処理で印刷した場合の、用紙上の印刷結果である。１ページ目と２ページ目の境目の部分Ａ−Ｂ間、及び３ページ目と４ページ目の境目の部分Ｃ−Ｄ間の印刷は、１ページ目または３ページ目の末尾のデータを読み込む際、Ｓ３１０がＹＥＳとなって、そのページの末尾部分のデータをＨＢＵＦＦに保持したまま待機し、次のページデータの先頭部分をＨＢＵＦＦに読み込んでＨＢＵＦＦの容量を満たした後で印刷を行ったことにより、隣り合うページ同士が隙間や色ズレなく良好に連続印刷されている。
【００５２】
尚、本発明は、以上に説明した実施の形態に限定されるものではなく、その要旨を変更しない範囲内に於いて、種々の変更が可能である。
【００５３】
例えば、前記実施の形態に於ける連続印刷モードでない場合の処理として、各ページデータの末尾部分をＨＢＵＦＦに読み込んだ際に、ＨＢＵＦＦに空容量がある場合、その空容量をブランクデータで埋め合わせることによりＨＢＵＦＦ容量を満たして強制印刷するように構成してもよい。
【００５４】
【発明の効果】
以上に説明したことから明かなように、本発明の請求項１に記載の長尺印刷装置によれば、簡易な構成により、複数ページの印刷データを、そのデータサイズが印刷ヘッドの１回の走査で消費されるバンドデータ容量の整数倍であるか否かに拘わらず、隙間なく連結して連続印刷することができる。したがって、高品質な長尺印刷物を短時間で得ることができる長尺印刷装置を提供することができる。
【００５５】
また、ユーザの希望に応じて、簡易に連続印刷モードの切り替えが可能となり、複数ページの個別印刷と連続印刷とを任意に組み合わせることができると共に、連続印刷の場合には、複数ページの印刷データを隙間なく連結して連続印刷することができ、高品質な長尺印刷物を短時間で得られる。
【００５６】
さらに、請求項２に記載の長尺印刷装置によれば、ページデータ記憶手段からバンドデータ記憶手段に読み込まれたデータのサイズがバンドデータ記憶手段の容量に満たないとき、不足部分を空白のデータで書き込みをして印字処理することができる。したがって、印刷データを複数に分割して各々を印刷処理する場合に、分割後のそれぞれの印刷データの走査線数が記録ヘッドのインクノズルの数の整数倍にならなければならない制約を受けることがないため、データ処理の局所化が実現され高速な印刷処理ができる。また、繋ぎ目をあわせる機構が必要でないため印刷装置を安価にできる。
【図面の簡単な説明】
【図１】  本発明の一つの実施の形態である長尺印刷装置の回路ブロック図である。
【図２】  前記長尺印刷装置に於ける印刷データの処理手順を表わすフローチャートである。
【図３】  前記長尺印刷装置に備えられる印刷制御手段に於ける印刷処理を表わすフローチャートである。
【図４】  前記長尺印刷装置に入力される印刷データの構造を表わす図である。
【図５】  インクジェット方式に於ける印刷ヘッドと用紙との関係を表わす図である。
【図６】  前記長尺印刷装置による連続印刷結果を表わす図である。
【図７】  長尺印刷装置による印刷結果を概略的に表わす図である。
【符号の説明】
１３１  データ受信制御手段
１３２  データ解析手段
１３３  印刷ラインデータ印刷制御手段
１４２  ページメモリ
１４３  印刷ラインデータメモリ
１４４  印刷ラインデータ格納ライン数メモリ
【図１】
0004182549.tif 000002
【図２】
0004182549.tif 000003
【図３】
0004182549.tif 000004
【図４】
0004182549.tif 000005
【図５】
0004182549.tif 000006
【図６】
0004182549.tif 000007
【図７】
0004182549.tif 000008